(57)【要約】    【課題】      自動原稿給紙装置の原稿給紙トレイの上方に画像形成後の記録媒体を支障なく排出することができるようにすること。    【解決手段】  記録済みシート保持手段としての上面排紙台１５１により、原稿給紙トレイ１４１の上方に排紙された記録済みシートＰｓの原稿給紙方向下流端部を原稿給紙手段としての原稿給紙ローラ１４２から離間した部位に保持する。これにより、上面排紙台１５１上に排紙された記録済みシートＰｓが原稿給紙ローラ１４２により自動給紙されてしまうことがなくなる。従って、画像形成後の記録済みシートＰｓを自動原稿給紙装置１４０の原稿給紙トレイ１４１の上方に支障なく排出することができ、記録済みシートＰｓの確認や取り出しが容易になり利便性が向上される。  【選択図】      図３
2005311627.tif 000002
【特許請求の範囲】
【請求項１】
原稿給紙手段および原稿給紙トレイを備え前記原稿給紙トレイ上に載置された原稿を前記原稿給紙手段により自動給紙する装置本体の上面部位に配置した自動原稿給紙装置と、
シート上に画像を形成する画像形成部と、
前記画像形成部により画像が形成された記録済みシートを前記原稿給紙トレイの上方に排紙する上面排紙部と、
少なくとも前記原稿給紙トレイの上方に排紙される記録済みシートの原稿給紙方向下流端部を前記原稿給紙手段から離間した部位に保持する記録済みシート保持手段と、を具備することを特徴とする画像形成装置。
【請求項２】
前記上面排紙部は、前記記録済みシートを原稿給紙方向下流側から前記原稿給紙トレイの上方に排紙することを特徴とする請求項１記載の画像形成装置。
【請求項３】
前記記録済みシート保持手段は、前記原稿給紙トレイの上方に排紙される前記記録済みシートをガイドする上面排紙ガイド板の端部を延長して形成したことを特徴とする請求項２記載の画像形成装置。
【請求項４】
前記記録済みシート保持手段は、自由端部が自重により遥動して前記原稿給紙トレイ上に載置される原稿の上面に当接する遥動部材からなることを特徴とする請求項２記載の画像形成装置。
【請求項５】
前記遥動部材は、前記原稿給紙トレイ上に載置される給紙原稿の上面を押える原稿押え部材と、前記給紙原稿の給紙時における前記原稿押え部材の原稿給紙方向への移動を許容するように前記原稿押え部材を遥動自在に支持する遥動アームと、からなることを特徴とする請求項４記載の画像形成装置。
【請求項６】
前記原稿給紙手段は、前記原稿給紙トレイ上に載置された最上位の給紙原稿から順次給紙する構成を有し、前記原稿押え部材は、前記給紙原稿の上面に当接する摩擦部材を有していることを特徴とする請求項５記載の画像形成装置。
【請求項７】
原稿給紙手段および原稿給紙トレイを備え前記原稿給紙トレイ上に載置された給紙原稿を前記原稿給紙手段により自動給紙する装置本体の上面部位に配置した自動原稿給紙装置であって、前記装置本体の画像形成部により画像が形成された記録済みシートを前記原稿給紙トレイの上方に排紙する上面排紙部と、少なくとも前記原稿給紙トレイの上方に排紙される前記記録済みシートの原稿給紙方向下流端部を前記原稿給紙手段から離間した部位に保持する記録済みシート保持手段と、を具備することを特徴とする自動原稿給紙装置。
【発明の詳細な説明】
【技術分野】
【０００１】
本発明は、画像形成装置に関し、特に、原稿を自動給紙する自動原稿給紙装置を搭載した複写機、プリンタ、ファクシミリ、およびこれらの機器を統合した多機能の複合機に用いて有用な画像形成装置に関する。
【背景技術】
【０００２】
一般のオフィス等で使われるこの種の多機能の画像形成装置においては、近年の文書データや画像データのデジタル化に伴って、ＰＣやＦＡＸ等から送信される電子データをプリントアウトする頻度が圧倒的に多くなっている。
【０００３】
この種の多機能の画像形成装置においては、上述のような電子データのプリントアウトの頻度が今後益々高くなる傾向にあるが、紙文書やブック原稿等の複写もたまには必要になるためこれらの原稿の読み取りを行う読取部も搭載される。
【０００４】
ところで、この種の従来の画像形成装置においては、一般的に、装置本体の上部に原稿載置台や操作パネルを配置して操作性を向上させるように構成されており、画像形成後の記録済みシートを載置するシート排紙部のシート排紙トレイが、装置本体の側面に突出するように設けられている。このため、この種の従来の画像形成装置は、装置本体の側方にシート排紙トレイの突出領域を確保する必要があり見かけよりも大きな設置面積を必要としていた。
【０００５】
このようなことから、近年、装置本体の上部に配置された読取部と、この読取部の下部に配置された画像形成部との間の装置本体の胴部に空間を形成し、この装置本体の胴部の空間に排紙部を設けた構成の画像形成装置が提案されている（例えば、特許文献１参照）。
【０００６】
この画像形成装置では、画像形成部の下部の給紙部から供給されて画像が形成された記録済みシートを、装置本体の胴部の空間に設けた排紙部に排紙するようにしているので、その設置面積が小さくて済むという利点がある。
【０００７】
しかしながら、このような構成の画像形成装置は、設置面積を小さくできる反面、その排紙部の上方にユーザによって操作される操作パネルや読取部があるため、画像形成後の記録済みシートの確認や取り出しが不便になるという不合理な構成を余儀なくされている。
【０００８】
すなわち、特許文献１記載の画像形成装置では、装置本体の胴部に設けられた排紙部に排紙されて載置された画像形成後の記録済みシートが、読取部や装置本体前面の操作パネル等の陰に隠れてしまう構成となる。
【０００９】
このため、この画像形成装置では、紙文書やブック原稿等の複写よりも画像形成頻度が高いＰＣ等からの電子データによる画像形成後の記録済みシートの状態を確認しにくく、また排紙された記録済みシートを排紙部から取り出しにくい構成となる。また、この画像形成装置では、装置本体の胴部に空間を形成して排紙部を設けているため、その筐体構造や外装の構成などが複雑になる。さらに、この画像形成装置では、上述のような画像形成頻度の高いＰＣ等からの電子データをプリントアウトした記録済みシートの取り扱いを良くするために排紙部の空間を大きく形成する必要があるため、装置本体の強度維持等のために余分なコストが必要となる。
【００１０】
このようなことから、この種の画像形成装置としては、装置本体の設置面積を小さくでき、かつ画像形成後の記録済みシートの確認や取り出しが容易な構成であることが望ましい。この要望に応える画像形成装置として、その読取部の原稿載置台の上に画像形成後の記録済みシートの排紙部を設けたものが知られている（例えば、特許文献２参照）。
【００１１】
この特許文献２記載の画像形成装置においては、画像形成後の記録済みシートが装置本体の最上部に排紙されるので、装置本体の設置面積を小さくでき、かつ画像形成後の記録済みシートの確認や取り出しが容易に行えるようになる。
【特許文献１】特開２００３―３０７９９６号公報
【特許文献２】特開２００１−２１５７５９号公報
【発明の開示】
【発明が解決しようとする課題】
【００１２】
ところが、特許文献２記載の画像形成装置は、ユーザが手操作で原稿を載置する原稿載置台（コンタクトガラス）の上に画像形成後の記録済みシートを排紙するようにしている。従って、この画像形成装置では、その原稿載置台の上に、原稿を自動給紙する自動原稿給紙装置を配設した場合、画像形成後の記録済みシートが自動原稿給紙装置の原稿給紙トレイおよび原稿排紙トレイの下方に排紙される構成となる。
【００１３】
このため、この画像形成装置では、自動原稿給紙装置を配設すると、特許文献１の画像形成装置と同様、画像形成後の記録済みシートが原稿給紙トレイおよび原稿排紙トレイの下方に隠れてしまいその確認や取り出しが不便な構成となってしまう。
【００１４】
そこで、この特許文献２記載の画像形成装置においては、原稿給紙トレイおよび原稿排紙トレイを斜めに配置して排紙された記録済みシートの確認や取り出しを容易化している。しかし、このような構成の画像形成装置では、装置本体の大型化を招くとともに、自動原稿給紙装置の原稿給紙トレイおよび原稿排紙トレイの開閉軌道が大きくなって装置本体周囲の占有空間が増大してしまう。
【００１５】
従って、自動原稿給紙装置を配設した画像形成装置では、原稿給紙トレイの上方に記録済みシートを排紙することが望ましい。しかし、このようにすると原稿給紙トレイ上に載置された給紙原稿の上に記録済みシートが排紙されてしまうため、排紙された記録済みシートが自動原稿給紙装置の原稿給紙手段により自動給紙されてしまうという不具合が生じる。
【００１６】
本発明は、かかる点に鑑みてなされたもので、自動原稿給紙装置の原稿給紙トレイの上方に画像形成後の記録済みシートを支障なく排紙することができる利便性の高い画像形成装置を提供することを目的とする。
【課題を解決するための手段】
【００１７】
かかる課題を解決するため、請求項１記載の画像形成装置は、原稿給紙手段および原稿給紙トレイを備え前記原稿給紙トレイ上に載置された原稿を前記原稿給紙手段により自動給紙する装置本体の上面部位に配置した自動原稿給紙装置と、シート上に画像を形成する画像形成部と、前記画像形成部により画像が形成された記録済みシートを前記原稿給紙トレイの上方に排紙する上面排紙部と、少なくとも前記原稿給紙トレイの上方に排紙される記録済みシートの原稿給紙方向下流端部を前記原稿給紙手段から離間した部位に保持する記録済みシート保持手段と、を具備する構成を採る。
【００１８】
この構成によれば、前記記録済みシート保持手段により、原稿給紙トレイの上方に排紙された記録済みシートの原稿給紙方向下流端部が前記原稿給紙手段から離間した部位に保持されるので、排紙された記録済みシートが前記原稿給紙手段により自動給紙されてしまうことがない。従って、この構成においては、画像形成後の記録済みシートを自動原稿給紙装置の原稿給紙トレイの上方に支障なく排紙することができ、この記録済みシートの確認や取り出しが容易になり利便性が向上される。
【００１９】
請求項２記載の画像形成装置は、請求項１記載の発明において、前記上面排紙部は、前記記録済みシートを原稿給紙方向下流側から前記原稿給紙トレイの上方に排紙する構成を採る。
【００２０】
この構成によれば、請求項１記載の発明の効果に加えて、前記上面排紙部と前記原稿給紙手段とが装置本体の同じ側面がわに位置するので、前記上面排紙部の駆動系と前記原稿給紙手段の駆動系とを１つの駆動系にまとめてコンパクト化することができる。
【００２１】
請求項３記載の画像形成装置は、請求項２記載の発明において、前記記録済みシート保持手段は、前記原稿給紙トレイの上方に排紙される前記記録済みシートをガイドする上面排紙ガイド板の端部を延長して形成した構成を採る。
【００２２】
この構成によれば、請求項２記載の発明の効果に加えて、前記上面排紙ガイド板の端部を延長するだけで前記記録済みシート保持手段を形成することができるので、コストをかけずに前記記録済みシート保持手段を設けることができる。
【００２３】
請求項４記載の画像形成装置は、請求項２記載の発明において、前記記録済みシート保持手段は、自由端部が自重により遥動して前記原稿給紙トレイ上に載置される原稿の上面に当接する遥動部材からなる構成を採る。
【００２４】
この構成によれば、請求項２記載の発明の効果に加えて、前記原稿給紙トレイ上に載置された給紙原稿の給紙による減少に伴って、前記遥動部材が遥動してその記録済みシートの保持面が下降するので、前記上面排紙部の位置を変えずに一度により多くの記録済みシートを排紙して載置できるようになる。また、この構成においては、前記原稿給紙トレイに対して前記遥動部材を開閉することができるので、この遥動部材を短くしなくても前記原稿給紙トレイへの給紙原稿の載置操作、およびジャム原稿の取り出し作業を容易に行えるようになる。
【００２５】
請求項５記載の画像形成装置は、請求項４記載の発明において、前記遥動部材は、前記原稿給紙トレイ上に載置される給紙原稿の上面を押える原稿押え部材と、前記給紙原稿の給紙時における前記原稿押え部材の原稿給紙方向への移動を許容するように前記原稿押え部材を遥動自在に支持する遥動アームと、からなる構成を採る。
【００２６】
この構成によれば、請求項４記載の発明の効果に加えて、前記遥動部材に保持された記録済みシートの重さによる前記原稿押え部材の前記給紙原稿への押圧力を、前記給紙原稿の給紙時における前記原稿押え部材の原稿給紙方向への移動により軽減させることができるので、前記押圧力の増大による前記給紙原稿の給紙ミスの発生を防止することができる。
【００２７】
請求項６記載の画像形成装置は、請求項５記載の発明において、前記原稿給紙手段は、前記原稿給紙トレイ上に載置された最上位の給紙原稿から順次給紙する構成を有し、前記原稿押え部材は、前記給紙原稿の上面に当接する摩擦部材を有している構成を採る。
【００２８】
この構成によれば、請求項５記載の発明の効果に加えて、前記原稿給紙手段により前記原稿給紙トレイ上に載置された最上位の給紙原稿が給紙される際に、前記摩擦部材が次に給紙される給紙原稿の上面に当接するので、前記摩擦部材により給紙原稿の重送を防止することができる。従って、この構成においては、一般に、前記原稿給紙手段に設けられるシート分離手段を省略することが可能になり、前記原稿給紙手段の簡素化および低コスト化を図ることが可能になる。また、この構成においては、前記原稿給紙手段に設けたシート分離手段と前記摩擦部材との協働により給紙原稿を分離する構成とすることで、給紙原稿の重送をより確実に防止することができる。
【００２９】
請求項７記載の自動原稿給紙装置は、原稿給紙手段および原稿給紙トレイを備え前記原稿給紙トレイ上に載置された給紙原稿を前記原稿給紙手段により自動給紙する装置本体の上面部位に配置した自動原稿給紙装置であって、前記装置本体の画像形成部により画像が形成された記録済みシートを前記原稿給紙トレイの上方に排紙する上面排紙部と、少なくとも前記原稿給紙トレイの上方に排紙される前記記録済みシートの原稿給紙方向下流端部を前記原稿給紙手段から離間した部位に保持する記録済みシート保持手段と、を具備する構成を採る。
【００３０】
この構成によれば、前記記録済みシート保持手段により、原稿給紙トレイの上方に排紙された記録済みシートの原稿給紙方向下流端部が前記原稿給紙手段から離間した部位に保持されるので、排紙された記録済みシートが前記原稿給紙手段により自動給紙されてしまうことを防止することができる。
【発明の効果】
【００３１】
本発明によれば、自動原稿給紙装置の原稿給紙トレイの上方に画像形成後の記録済みシートを支障なく排紙することができるので、排紙された記録済みシートの確認や取り出しが容易となりユーザに対する利便性を向上させることができる。
【発明を実施するための最良の形態】
【００３２】
本発明の骨子は、装置本体の上面部位に配置した自動原稿給紙装置の原稿給紙トレイの上方に排紙される記録済みシートを、原稿給紙手段から離間した部位に保持できるようにすることである。
【００３３】
以下、本発明の実施の形態について、図面を参照して詳細に説明する。なお、各図において同一の構成または機能を有する構成要素および相当部分には、同一の符号を付してその説明は繰り返さない。
【００３４】
（実施の形態１）
図１は、本発明の実施の形態１に係る画像形成装置の全体的な構成を示す概略断面図である。本実施の形態１に係る画像形成装置は、紙文書やブック原稿などを複写する複写機能、ＰＣなどから送信される電子データなどをプリントアウトするプリント機能、およびＦＡＸなどと送受信するファクシミリ機能等を有する多機能の複合機としての構成を備えている。
【００３５】
すなわち、図１に示すように、この画像形成装置１００は、受信部１１０、読取部１２０、画像形成部１３０、自動原稿給紙装置１４０、上面排紙部１５０、本体排紙部１６０、給紙部１７０、搬送系１８０などを具備している。
【００３６】
ここで、受信部１１０は、ＰＣ、ＦＡＸ、または記憶媒体（メモリカード）などの外部機器からＬＡＮ（無線ＬＡＮを含む）や公衆回線を介して入力される画像情報を受信する。画像形成装置１００には、ＬＡＮケーブルが接続されるＬＡＮポート１１１、公衆回線が接続されるモジュラー１１２、メモリカードが装着されるカードスロット１１３が配設されている。
【００３７】
読取部１２０は、ユーザの手操作で複写するシート原稿Ｓ（または、後述するブック原稿ＢＯ）を載置する原稿載置台（コンタクトガラス）１２１、原稿載置台１２１の原稿載置面１２１ａ上に載置されたシート原稿Ｓ（または、ブック原稿ＢＯ）を覆う原稿カバー１２２、シート原稿Ｓの画像を走査して読み取る走査光学系１２３などで構成されている。本例の走査光学系１２３は、光源１２３ａ、ミラー１２３ｂ、レンズ１２３ｃおよび撮像素子（ＣＣＤ）１２３ｄなどで構成されている。原稿カバー１２２は、後述する自動原稿給紙装置１４０の原稿排紙トレイを兼ねた構成を有している。
【００３８】
画像形成部１３０は、感光体１３１、帯電器１３２、露光装置１３３、現像装置１３４、転写ローラ１３５、クリーニング装置１３６および定着装置１３７などで構成されている。
【００３９】
自動原稿給紙装置１４０は、自動給紙する給紙原稿Ｏがセットされる原稿給紙トレイ１４１、セットされた給紙原稿Ｏを１枚ずつ分離して給紙する原稿給紙手段としての原稿給紙ローラ１４２、分離給紙された給紙原稿Ｏの画像を読み取るスキャナ１４３、および画像の読み取りを終えた給紙原稿Ｏを排紙する原稿排紙ローラ１４４などで構成されている。本例の自動原稿給紙装置１４０は、原稿排紙ローラ１４４により原稿カバー１２２の上面上に給紙原稿Ｏを排紙するように構成されている。また、本例の自動原稿給紙装置１４０は、原稿カバー１２２と共に、装置本体に対して開閉自在に構成されている。
【００４０】
上面排紙部１５０は、後述する画像形成後の記録済みシートＰｓを載置する記録済みシート保持手段としての上面排紙台１５１を備えている。この上面排紙台１５１は、これに排紙される記録済みシートＰｓの原稿給紙方向下流端部を前記原稿給紙手段から離間した部位に保持するように構成されている。また、上面排紙部１５０は、上面排紙台１５１上に画像形成後の記録済みシートＰｓを排紙する上面排紙ローラ１５２、上面排紙ローラ１５２に向けて画像形成後の記録済みシートＰｓを搬送する上面搬送ローラ１５３、および上面搬送ローラ１５３により上面排紙ローラ１５２に向けて搬送される画像形成後の記録済みシートＰｓをガイドする上面排紙ガイド板１５４を備えている。なお、本例の上面排紙部１５０は、自動原稿給紙装置１４０と一体に構成されている。
【００４１】
本体排紙部１６０は、画像形成後の記録済みシートＰｓを載置する上面排紙部１５０とは異なる画像形成装置１００の装置本体部位に配設した本体排紙台１６１、および本体排紙台１６１上に画像形成後の記録済みシートＰｓを排紙する本体排紙ローラ１６２を備えている。なお、本実施の形態１に係る画像形成装置１００の本体排紙部１６０は、図１に示すように、読取部１２０と画像形成部１３０との間の装置本体の胴部に形成した空間に配設されている。
【００４２】
給紙部１７０は、記録紙Ｐが収容された給紙カセット１７１を収納するためのカセット収納部１７２、および給紙カセット１７１に収容されている記録紙Ｐを１枚ずつ分離して給紙する分離給紙装置１７３などで構成されている。
【００４３】
搬送系１８０は、給紙部１７０から画像形成部１３０に向けて記録紙Ｐをガイドする給紙ガイド板１８１を備えている。この給紙ガイド板１８１により給紙経路１８１ａが形成されている。この給紙経路１８１ａの出口には、記録紙Ｐを所定のタイミングで画像形成部１３０に送り込むレジストローラ１８２が配設されている。
【００４４】
また、搬送系１８０は、画像形成部１３０の定着装置１３７から排紙された記録済みシートＰｓを上面排紙部１５０に向けてガイドする上面排紙ガイド板１８３を備えている。この上面排紙ガイド板１８３により上面排紙経路１８３ａが形成されている。
【００４５】
また、搬送系１８０は、画像形成部１３０の定着装置１３７から排紙された記録済みシートＰｓを本体排紙部１６０に向けてガイドする本体排紙ガイド板１８４を備えている。この本体排紙ガイド板１８４により本体排紙経路１８４ａが形成されている。
【００４６】
ここで、画像形成部１３０の定着装置１３７から排紙された記録済みシートＰｓを、上面排紙経路１８３ａを通して上面排紙部１５０に向けて排紙する排紙モードを上面排紙モードという。また、画像形成部１３０の定着装置１３７から排紙された記録済みシートＰｓを、本体排紙経路１８４ａを通して本体排紙部１６０に向けて排紙する排紙モードを本体排紙モードという。
【００４７】
上面排紙経路１８３ａと本体排紙経路１８４ａとの分岐部には、前記上面排紙モードと前記本体排紙モードとを切り替える排紙モード切替手段４００の排紙経路切替爪４０１が配設されている（図４参照）。
【００４８】
また、本例の搬送系１８０は、画像形成後の記録済みシートＰｓを、その画像形成面を反転させて給紙経路１８１ａに送り込む反転搬送ローラ１８５および反転搬送ガイド板１８６により形成された反転搬送経路１８６ａを有している。
【００４９】
この反転搬送経路１８６ａと、画像形成部１３０の定着装置１３７から排紙された記録済みシートＰｓをガイドする排紙ガイド板１８７により形成された排紙搬送経路１８７ａとの合流部には、排紙搬送経路１８７ａを一旦抜け出た記録済みシートＰｓの搬送経路を、反転搬送経路１８６ａがわに切り替える反転切替爪１８８が配設されている。
【００５０】
また、排紙経路切替爪４０１の排紙方向上流側には、記録済みシートＰｓを排紙方向および反転搬送方向に搬送する正逆回転ローラ１８９が配設されている。
【００５１】
次に、本実施の形態１に係る画像形成装置の動作について説明する。
【００５２】
この画像形成装置１００は、手動複写モード、自動複写モードおよび外部入力プリントモードの３つの印刷モードを有している。
【００５３】
ここで、手動複写モードとは、原稿載置面１２１ａ上に載置されたシート原稿Ｓまたはブック原稿ＢＯを読取部１２０のＣＣＤ１２３ｄで読み取った画像情報により複写する印刷モードである。
【００５４】
また、自動複写モードとは、原稿給紙トレイ１４１上にセットされた給紙原稿Ｏを自動原稿給紙装置１４０のスキャナ１４３で読み取った画像情報により複写する印刷モードである。
【００５５】
さらに、外部入力プリントモードとは、受信部１１０に入力されたＰＣ、ＦＡＸおよびメモリカードなどの外部機器からの画像情報によりプリントアウトする印刷モードである。
【００５６】
前記手動複写モードでは、図２に示すように、まず、読取部１２０の原稿カバー１２２を自動原稿給紙装置１４０と共に開放して原稿載置台１２１の原稿載置面１２１ａを露呈させる。そして、この露呈した原稿載置面１２１ａ上にユーザの手操作で複写する原稿（ここでは、ブック原稿ＢＯ）を載置する。
【００５７】
読取部１２０には、原稿載置台１２１に載置されたシート原稿Ｓまたはブック原稿ＢＯの有無を検出する手動原稿検出手段としての原稿サイズセンサ１２４が配設されている。つまり、この画像形成装置１００においては、原稿サイズセンサ１２４が原稿載置面１２１ａ上に載置された原稿のサイズを検出して検出信号を出力したか否かによりシート原稿Ｓまたはブック原稿ＢＯの有無を検出するようにしている。
【００５８】
図２において、原稿サイズセンサ１２４により原稿載置面１２１ａ上にブック原稿ＢＯが載置されていることが検出された状態で、ユーザが装置本体の操作パネル（不図示）上のコピーボタンを押すと、走査光学系１２３が動作してＣＣＤ１２３ｄにブック原稿ＢＯの画像データが読み取られる。このＣＣＤ１２３ｄに読み取られたブック原稿ＢＯの画像データは、図示しない画像処理装置によって印刷データに変換された後、所定のタイミングで露光装置１３３に入力される。
【００５９】
一方、前記コピーボタンの押下により、感光体１３１が所定方向に回転し、感光体１３１の表面が帯電器１３２により一様に帯電される。露光装置１３３は、この一様に帯電された感光体１３１の表面に、前記画像処理装置によって変換された印刷データをレーザ光として照射する。このレーザ光の照射により、感光体１３１の表面にブック原稿ＢＯの静電潜像が形成される。
【００６０】
この静電潜像は、現像装置１３４から供給されるトナーにより可視像（トナー像）化される。そして、このトナー像は、レジストローラ１８２によって給紙された記録紙Ｐ上に転写ローラ１３５により転写された後、定着装置１３７により記録紙Ｐ上に定着される。
【００６１】
このようにしてブック原稿ＢＯの画像が形成された記録済みシートＰｓは、図２に実線で示すように、本体排紙経路１８４ａを通って本体排紙ローラ１６２により本体排紙部１６０の本体排紙台１６１上に排紙されて載置される。
【００６２】
前記自動複写モードでは、図３に示すように、自動原稿給紙装置１４０の原稿給紙トレイ１４１上に自動給紙する給紙原稿Ｏをセットすると、原稿給紙トレイ１４１に遥動自在に設けられたアクチュエータ１４５が給紙原稿Ｏに押されて時計方向に遥動する。このアクチュエータ１４５の遥動により、自動原稿給紙装置１４０により給紙される給紙原稿Ｏの有無を検出する給紙原稿検出手段としての給紙原稿センサ１４６がオンする。
【００６３】
本例における給紙原稿センサ１４６は、発光素子と受光素子とからなり、両素子間の光路に対してアクチュエータ１４５の遥動端部１４５ａが進退することによりオン／オフするように構成されている。この給紙原稿センサ１４６のオンによって、給紙原稿Ｏの画像を読み取るスキャナ１４３のランプの発光準備などが行われる。
【００６４】
給紙原稿センサ１４６がオンしている状態で、ユーザが装置本体の操作パネル上のコピーボタンを押すと、図３に一点鎖線で示すように、原稿給紙トレイ１４１上の給紙原稿Ｏが自動的に給紙される。これにより、給紙原稿Ｏがスキャナ１４３の原稿読み取りガラスに密着しながら搬送され給紙原稿Ｏの画像が読み取られる。読み取りが終了した給紙原稿Ｏは、原稿排紙ローラ１４４により自動原稿給紙装置１４０の原稿排紙トレイを兼ねた原稿カバー１２２の上面上に排紙される。
【００６５】
このようにして、自動原稿給紙装置１４０のスキャナ１４３で読み取られた給紙原稿Ｏの画像情報（画像データ）は、装置本体内部に配設されている記憶手段としてのメモリ１９０に記憶（蓄積）される（図１参照）。メモリ１９０に記憶（蓄積）された画像データは、図示しない画像処理装置によって印刷データに変換され所定のタイミングで露光装置１３３に入力される。
【００６６】
また、露光装置１３３に入力された印刷データは、前記手動複写モードの場合と同様に、一様に帯電された感光体１３１の表面にレーザ光として照射され、定着装置１３７により記録紙Ｐ上にトナー像として定着される。
【００６７】
この自動複写モードにおいては、定着装置１３７から排紙された画像形成後の記録済みシートＰｓが上面排紙経路１８３ａを通して上面排紙部１５０に向けて搬送される。そして、記録済みシートＰｓは、図３に二点鎖線で示すように、上面搬送ローラ１５３により上面排紙ガイド板１５４に沿って搬送され、上面排紙ローラ１５２により原稿給紙トレイ１４１の上面部位に配設した上面排紙台１５１上に排紙して載置される。
【００６８】
前記外部入力プリントモードでは、ＰＣ、ＦＡＸおよびメモリカードなどの外部機器から受信部１１０に入力された画像情報（画像データ）が、前記自動複写モードの場合と同様に、装置本体内部に配設されている記憶手段としてのメモリ１９０に記憶される。このメモリ１９０に蓄積された画像データは、図示しない画像処理装置によって印刷データに変換されて所定のタイミングで露光装置１３３に入力される。
【００６９】
また、この外部入力プリントモードでは、前記自動複写モードの場合と同じく、定着装置１３７から排紙された画像形成後の記録済みシートＰｓが上面排紙経路１８３ａを通して上面排紙部１５０に向けて搬送され、上面排紙ローラ１５２により上面排紙台１５１上に排紙して載置される。
【００７０】
この画像形成装置１００においては、前記手動複写モードの場合には画像形成後の記録済みシートＰｓが、図２に実線で示すように、本体排紙経路１８４ａを通って本体排紙ローラ１６２により本体排紙部１６０の本体排紙台１６１上に排紙されて載置される。
【００７１】
一方、前記自動複写モードおよび外部入力プリントモードでは、画像形成後の記録済みシートＰｓが、図３に二点鎖線で示すように、上面排紙経路１８３ａを通って上面排紙ローラ１５２により上面排紙部１５０の上面排紙台１５１上に排紙して載置される。
【００７２】
つまり、この画像形成装置１００では、画像形成頻度の高い前記自動複写モードおよび外部入力プリントモードにより画像形成された記録済みシートＰｓが、上面排紙モードにより装置本体上面部位に配設した上面排紙部１５０に排紙される。
【００７３】
従って、この画像形成装置１００においては、このような画像形成頻度の高い記録済みシートＰｓの確認や取り出しが容易になり利便性が向上される。
【００７４】
また、前記手動複写モードでは、読取部１２０からの画像情報により画像形成された記録済みシートＰｓが、本体排紙モードにより原稿載置台１２１に載置されたシート原稿Ｓやブック原稿ＢＯの操作（原稿カバー１２１の開閉操作）の影響を受けない本体排紙部１６０の本体排紙台１６１上に排紙される。
【００７５】
従って、この画像形成装置１００においては、前記手動複写モードにより画像形成された記録済みシートＰｓの排紙経路の複雑化やレイアウト自由度の低下を招くことがない。
【００７６】
ここで、前記上面排紙モード時における記録済みシートＰｓの上面排紙経路１８３ａと、前記本体排紙モード時における記録済みシートＰｓの本体排紙経路１８４ａとの切り替えは、前述した排紙モード切替手段４００の排紙経路切替爪４０１によって行われる。
【００７７】
図４は、この画像形成装置１００における排紙モード切替手段４００の一例を示す概略構成図である。図４に示すように、この排紙モード切替手段４００の排紙経路切替爪４０１は、装置本体の上面排紙経路１８３ａと本体排紙経路１８４ａとの分岐部に枢支された支軸４０２に取り付けられている。
【００７８】
支軸４０２には、切替アーム４０３が取り付けられている。この切替アーム４０３と排紙経路切替爪４０１とは、支軸４０２を介して一体に構成されている。また、切替アーム４０３の自由端部は、装置本体に配設された切替ソレノイド４０４のアクチュエータ４０４ａに遥動自在に繋がれている。
【００７９】
ここで、画像形成装置１００の印刷モードが前記自動複写モードまたは前記外部入力プリントモードの場合には、切替ソレノイド４０４がオフ状態（平生の状態）になる。この切替ソレノイド４０４がオフ状態の場合には、排紙経路切替爪４０１が、図４に実線で示すように、上面排紙経路１８３ａを開放する位置に臨んで、記録済みシートＰｓの排紙モードが図１に示す前記上面排紙モードに切り替えられる。
【００８０】
一方、画像形成装置１００の印刷モードが前記手動複写モードの場合には、切替ソレノイド４０４がオン状態（励磁された状態）になる。すなわち、本例の切替ソレノイド４０４は、読取部１２０の原稿サイズセンサ１２４が、原稿載置台１２１に載置されたシート原稿Ｓまたはブック原稿ＢＯを検出して検出信号を出力している状態でオン状態になる。この切替ソレノイド４０４がオン状態の場合には、排紙経路切替爪４０１が、図４に破線で示すように、本体排紙経路１８４ａを開放する位置に臨んで、記録済みシートＰｓの排紙モードが図２に示す前記本体排紙モードに切り替えられる。
【００８１】
この画像形成装置１００においては、図３に示すように、前記記録済みシート保持手段としての上面排紙台１５１により、原稿給紙トレイ１４１の上方に排紙された記録済みシートＰｓの原稿給紙方向下流端部が前記原稿給紙手段から離間した部位に保持される。従って、この画像形成装置１００では、上面排紙台１５１上に排紙された記録済みシートＰｓが前記原稿給紙手段の原稿給紙ローラ１４２により自動給紙されてしまうことがなくなる。
【００８２】
従って、この画像形成装置１００においては、画像形成後の記録済みシートＰｓを自動原稿給紙装置１４０の原稿給紙トレイ１４１の上方に支障なく排紙することができるので、記録済みシートＰｓの確認や取り出しが容易になり利便性が向上される。
【００８３】
また、この画像形成装置１００は、画像形成後の記録済みシートＰｓを原稿給紙方向下流側から原稿給紙トレイ１４１の上方に排紙するように構成している。従って、この画像形成装置１００によれば、上面排紙部１５０と自動原稿給紙装置１４０の原稿給紙手段とが装置本体の同じ側面がわに位置するので、上面排紙部１５０の駆動系と前記原稿給紙手段の駆動系とを１つの駆動系にまとめてコンパクト化することができる。
【００８４】
（実施の形態２）
次に、本発明の実施の形態２に係る画像形成装置について説明する。
【００８５】
図５は、本発明の実施の形態２に係る画像形成装置の上面部位の構成を示す概略断面図である。
【００８６】
図５に示すように、この画像形成装置５００は、その記録済みシート保持手段としての上面排紙台１５１が、原稿給紙トレイ１４１の上方に排紙される記録済みシートＰｓをガイドする上面排紙ガイド板１５４の端部を延長して形成した延長端部５０１で構成されている。
【００８７】
ここで、この画像形成装置５００における上面排紙ガイド板１５４は、原稿給紙トレイ１４１の上方に排紙された記録済みシートＰｓの原稿給紙方向下流端部のみを前記原稿給紙手段から離間した部位に保持するように短く形成している。これは、原稿給紙トレイ１４１への給紙原稿Ｏの載置操作、およびジャム原稿の取り出し作業を容易に行えるようにするためである。
【００８８】
このように、本実施の形態２に係る画像形成装置５００は、上面排紙ガイド板１５４の端部を延長するだけで前記記録済みシート保持手段としての上面排紙台１５１を形成することができるので、コストをかけずに上面排紙台１５１を設けることができる。
【００８９】
なお、本例の画像形成装置５００におけるその他の構成および動作は、実施の形態１に係る画像形成装置１００の構成および動作と同様であるので、その説明を省略する。
【００９０】
（実施の形態３）
次に、本発明の実施の形態３に係る画像形成装置について説明する。
【００９１】
図６は、本実施の形態３に係る画像形成装置の上面部位の構成を示す概略断面図である。
【００９２】
図６に示すように、この画像形成装置６００は、その記録済みシート保持手段としての上面排紙台１５１が、自由端部が自重により遥動して原稿給紙トレイ１４１上に載置される給紙原稿Ｏの上面に当接する遥動部材６０１で構成されている。
【００９３】
図６において、上面排紙台１５１としての遥動部材６０１は、自動原稿給紙装置１４０の側板（図示せず）に植設された支軸６０２により、遥動自在に軸支されており、原稿給紙トレイ１４１上に給紙原稿Ｏが載置されると、その自由端部が自重により遥動して給紙原稿Ｏの上面に当接する。
【００９４】
この画像形成装置６００においては、原稿給紙トレイ１４１上に載置された給紙原稿Ｏの給紙による減少に伴って、遥動部材６０１が図６に二点鎖線で示すように遥動してその記録済みシートＰｓの保持面（遥動部材６０１の上面）が下降する。
【００９５】
従って、この画像形成装置６００においては、上面排紙部１５０の位置、つまり記録済みシートＰｓを排紙する上面排紙ローラ１５２の位置を変えずに一度により多くの記録済みシートＰｓを排紙して載置できるようになる。
【００９６】
また、この画像形成装置６００においては、原稿給紙トレイ１４１に対して遥動部材６０１を開閉することができるので、遥動部材６０１を短くしなくても原稿給紙トレイ１４１への給紙原稿Ｏの載置操作、およびジャム原稿の取り出し作業を容易に行えるようになる。
【００９７】
なお、本例の画像形成装置６００におけるその他の構成および動作は、実施の形態１に係る画像形成装置１００の構成および動作と同様であるので、その説明を省略する。
【００９８】
（実施の形態４）
次に、本発明の実施の形態４に係る画像形成装置について説明する。
【００９９】
図７は、本実施の形態４に係る画像形成装置の上面部位の構成を示す概略断面図である。
【０１００】
図７に示すように、この画像形成装置７００は、その記録済みシート保持手段としての上面排紙台１５１が、自重により遥動して原稿給紙トレイ１４１上に載置される給紙原稿Ｏの上面に当接する遥動部材７０１で構成されている。
【０１０１】
また、この画像形成装置７００における遥動部材７０１は、原稿給紙トレイ１４１上に載置される給紙原稿Ｏの上面を押える原稿押え部材７０２と、給紙原稿Ｏの給紙時における原稿押え部材７０２の原稿給紙方向への移動を許容するように原稿押え部材７０２を遥動自在に支持する遥動アーム７０３とで構成されている。
【０１０２】
この画像形成装置７００は、図８に示すように、遥動部材７０１に保持された記録済みシートＰｓの重さによる原稿押え部材７０２の給紙原稿Ｏへの押圧力を、給紙原稿Ｏの給紙時における原稿押え部材７０２の原稿給紙方向への移動により軽減させることができる。
【０１０３】
従って、この画像形成装置７００においては、記録済みシートＰｓの排紙に伴って増大する原稿押え部材７０２の給紙原稿Ｏへの押圧力による給紙原稿Ｏの給紙ミスの発生を防止することができる。
【０１０４】
なお、本例の画像形成装置７００におけるその他の構成および動作は、実施の形態１に係る画像形成装置１００の構成および動作と同様であるので、その説明を省略する。
【０１０５】
（実施の形態５）
次に、本発明の実施の形態５に係る画像形成装置について説明する。
【０１０６】
図９は、本実施の形態５に係る画像形成装置の全体的な構成を示す概略断面図である。
【０１０７】
図９に示すように、この画像形成装置９００は、その原稿給紙手段の原稿給紙ローラ１４２が、原稿給紙トレイ１４１上に載置された最上位の給紙原稿Ｏから順次給紙する構成を有している。
【０１０８】
また、この画像形成装置９００は、その記録済みシート保持手段としての上面排紙台１５１が、自重により遥動して原稿給紙トレイ１４１上に載置される給紙原稿Ｏの上面に当接する遥動部材９０１で構成されている。
【０１０９】
遥動部材９０１は、実施の形態４に係る画像形成装置７００の遥動部材７０１と同様、原稿給紙トレイ１４１上に載置される給紙原稿Ｏの上面を押える原稿押え部材９０２と、給紙原稿Ｏの給紙時における原稿押え部材９０２の原稿給紙方向への移動を許容するように原稿押え部材９０２を遥動自在に支持する遥動アーム９０３とで構成されている。
【０１１０】
また、本実施の形態５に係る画像形成装置９００は、図９に示すように、その原稿押え部材９０２が、給紙原稿Ｏの上面に当接する摩擦部材９０４を有している。
【０１１１】
この画像形成装置９００は、その原稿給紙手段の原稿給紙ローラ１４２により原稿給紙トレイ１４１上に載置された最上位の給紙原稿が給紙される際に、摩擦部材９０４給紙される給紙原稿Ｏの上面に当接するので、この摩擦部材９０４により給紙原稿Ｏの重送を防止することができる。
【０１１２】
従って、この画像形成装置９００においては、前記原稿給紙手段の原稿給紙ローラ１４２に当接するように設けられるシート分離手段のシート分離板１４７（図９参照）を省略することが可能になり、前記原稿給紙手段の簡素化および低コスト化を図ることが可能になる。
【０１１３】
また、この画像形成装置９００においては、前記原稿給紙手段に設けたシート分離手段のシート分離板１４７と、摩擦部材９０４との協働により、給紙原稿Ｏを分離する構成とすることで、給紙原稿Ｏの重送をより確実に防止することができる。
【０１１４】
なお、本例の画像形成装置９００におけるその他の構成および動作は、実施の形態１に係る画像形成装置１００の構成および動作と同様であるので、その説明を省略する。
【０１１５】
ここで、本発明の各実施の形態に係る画像形成装置１００，５００，６００，７００，９００では、画像形成部１３０の画像形成方式として電子写真方式による一例について説明したが、本発明は、同様の画像形成装置であればインクジェット方式など他の画像形成方式を用いたものにも適用できることは言うまでもない。
【０１１６】
また、本発明の各実施の形態に係る画像形成装置１００，５００，６００，７００，９００は、複写機能、プリント機能、およびファクシミリ機能等を有する多機能の複合機を例示したものであるが、単一の機能を有するものであってもよい。
【産業上の利用可能性】
【０１１７】
本発明に係る画像形成装置は、自動原稿給紙装置の原稿給紙トレイの上方に画像形成後の記録済みシートを支障なく排紙することができるので、原稿を自動給紙する自動原稿給紙装置を搭載した複写機、プリンタ、ファクシミリ、およびこれらの機器を統合した多機能の複合機からなる画像形成装置として有用である。
【図面の簡単な説明】
【０１１８】
【図１】本発明の実施の形態１に係る画像形成装置の全体的な構成を示す概略断面図
【図２】本発明の実施の形態１に係る画像形成装置の手動複写モード時の動作態様を説明するための全体的な構成を示す概略断面図
【図３】本発明の実施の形態１に係る画像形成装置の自動複写モード時の動作態様を説明するための自動原稿給紙装置の構成を示す概略断面図
【図４】本発明の実施の形態１に係る画像形成装置の排紙モード切替手段の一例を示す概略構成図
【図５】本発明の実施の形態２に係る画像形成装置の上面部位の構成を示す概略断面図
【図６】本発明の実施の形態３に係る画像形成装置の上面部位の構成を示す概略断面図
【図７】本発明の実施の形態４に係る画像形成装置の上面部位の構成を示す概略断面図
【図８】本発明の実施の形態４に係る画像形成装置の原稿押え部材の挙動を説明するための概略構成図
【図９】本発明の実施の形態５に係る画像形成装置の上面部位の構成を示す概略断面図
【符号の説明】
【０１１９】
１００，５００，６００，７００，９００  画像形成装置
１２０  読取部
１２１  原稿載置台
１２２  原稿カバー
１２３  走査光学系
１３０  画像形成部
１３１  感光体
１３２  帯電器
１３３  露光装置
１３４  現像装置
１３５  転写ローラ
１３６  クリーニング装置
１３７  定着装置
１４０  自動原稿給紙装置
１４１  原稿給紙トレイ
１４２  原稿給紙ローラ
１４３  スキャナ
１４４  原稿排紙ローラ
１４６  給紙原稿センサ
１５０  上面排紙部
１５１  上面排紙台
１５２  上面排紙ローラ
１５３  上面搬送ローラ
１５４  上面排紙ガイド板
１７０  給紙部
１８０  搬送系
１８２  レジストローラ
１８８  反転切替爪
５０１  延長端部
６０１，７０１，９０１  遥動部材
７０２，９０２  原稿押え部材
７０３，９０３  遥動アーム
９０４  摩擦部材
Ｏ  給紙原稿
Ｐ  記録紙
Ｐｓ  記録済みシート
Ｓ  シート原稿
ＢＯ  ブック原稿
【図１】
2005311627.tif 000003
【図２】
2005311627.tif 000004
【図３】
2005311627.tif 000005
【図４】
2005311627.tif 000006
【図５】
2005311627.tif 000007
【図６】
2005311627.tif 000008
【図７】
2005311627.tif 000009
【図８】
2005311627.tif 000010
【図９】
2005311627.tif 000011